(57)【要約】【課題】内燃機関が始動した際での故障判定における内燃機関の停止を抑制する。【解決手段】エンジンが始動した際の筒内燃料噴射弁１１に供給されるデリバリ燃圧に基づいて燃圧センサ２４及びリリーフ弁３５の故障判定をする故障判定部５１を備えたエンジンにおいて、故障判定部５１は、エンジン始動前のデリバリ燃圧Ｐdがリリーフ弁３５のリリーフ圧Ｐr＋αより高い場合には、燃圧センサ２４及びリリーフ弁３５の何れかが故障であると判定し、エンジン始動指示から所定期間ｔａの間筒内燃料噴射弁１１による燃料噴射を禁止してデリバリ燃圧を確保した後に、筒内燃料噴射弁１１により燃料を噴射して、燃圧センサ２４の検出値であるデリバリ燃圧Ｐdの変化度合いに基づき、燃圧センサ２４及びリリーフ弁３５の何れかが故障であるか特定する。【選択図】図１
2018123791.tif 000002
【特許請求の範囲】
【請求項１】
燃料タンクに貯留した燃料を加圧する高圧燃料供給装置と、
前記高圧燃料供給装置により加圧された燃料を供給されて内燃機関の燃焼室に噴射する筒内燃料噴射弁と、
前記内燃機関の吸気通路に燃料を噴射する吸気通路燃料噴射弁と、
前記内燃機関の運転状態に基づいて、前記筒内燃料噴射弁及び前記吸気通路燃料噴射弁の少なくとも一方により前記内燃機関に燃料を供給させる燃料噴射制御部と、
所定のリリーフ圧で開弁して前記高圧燃料供給装置から前記筒内燃料噴射弁に供給された燃料の圧力を抑制するリリーフ弁と、
前記高圧燃料供給装置から前記筒内燃料噴射弁に供給された燃料の圧力を検出する圧力検出器と、
前記内燃機関の始動の際の前記圧力検出器による圧力検出値に基づいて前記圧力検出器及び前記リリーフ弁の故障判定をする故障判定部と、
を備えた内燃機関の燃料噴射装置であって、
前記故障判定部は、前記内燃機関が始動指示された際の前記圧力検出値が前記リリーフ圧を超えている場合に、前記内燃機関の始動から所定期間経過するまで前記筒内燃料噴射弁による燃料の噴射を停止して前記吸気通路燃料噴射弁のみで前記内燃機関に燃料を供給し、前記所定期間経過後に前記筒内燃料噴射弁に供給された燃料の圧力を低下させる燃圧下降制御を実行して故障箇所を特定することを特徴とする内燃機関の燃料噴射装置。
【請求項２】
前記故障判定部は、前記内燃機関が始動するまでのソーク状態に基づいて前記所定期間を変更することを特徴とする請求項１に記載の内燃機関の燃料噴射装置。
【請求項３】
前記ソーク状態は、前記内燃機関の始動前の停止開始時における前記内燃機関の冷却水温または潤滑油温と、前記内燃機関の停止開始から前記内燃機関の始動指示までの時間に基づいて設定されることを特徴とする請求項２に記載の内燃機関の燃料噴射装置。
【請求項４】
前記ソーク状態は、前記内燃機関の始動前の停止開始時における前記内燃機関の冷却水温または潤滑油温と、前記内燃機関の始動指示時における前記内燃機関の冷却水温または潤滑油温とに基づいて設定されることを特徴とする請求項２に記載の内燃機関の燃料噴射装置。
【請求項５】
前記故障判定部は、前記所定期間経過後に前記筒内燃料噴射弁による燃料噴射によって前記燃圧下降制御を実行して前記圧力検出値の変化度合に基づいて、前記リリーフ弁及び前記圧力検出器の何れが故障であるか特定することを特徴とする請求項１から４のいずれか１項に記載の内燃機関の燃料噴射装置。
【発明の詳細な説明】
【技術分野】
【０００１】
本発明は、内燃機関の筒内燃料噴射弁に燃料を供給する高圧燃料供給装置の故障診断技術に関するものである。
【背景技術】
【０００２】
燃焼室内に燃料を噴射する筒内燃料噴射弁を備えた内燃機関が知られている。筒内燃料噴射弁には、燃料タンクから高圧燃料供給装置によって高圧化した燃料が供給されることで、高圧となる燃焼室内に燃料を噴射可能としている。高圧燃料供給装置は、例えば内燃機関によって駆動する高圧燃料ポンプ（プランジャポンプ）と流量制御弁（スピル弁）を備えており、高圧燃料ポンプからの吐出圧、すなわち筒内燃料噴射弁に供給する燃料の圧力(デリバリ燃圧)を燃圧センサによって検出し、当該デリバリ燃圧が目標燃圧になるように、流量制御弁を駆動制御する。また、高圧燃料供給装置の多くには、リリーフ弁が備えられており、デリバリ燃圧が所定圧以上となった場合に開弁して、デリバリ燃圧を低下させる。
【０００３】
更に、特許文献１では、目標燃圧をリリーフ圧より上昇させ、燃圧センサによって検出したデリバリ燃圧がリリーフ圧を超えた場合に、リリーフ弁が故障していると判定する故障診断装置が提案されている。
【先行技術文献】
【特許文献】
【０００４】
【特許文献１】特許第５３７０６３５号公報
【発明の概要】
【発明が解決しようとする課題】
【０００５】
しかしながら、特許文献１のようにデリバリ燃圧をリリーフ圧より上昇させるように制御することは、リリーフ弁の開弁作動頻度を増加させることになり、リリーフ弁の寿命を低下させる虞がある。そこで、デリバリ燃圧を低下させて燃圧センサの検出値の変化に基づいてリリーフ弁または燃圧センサの故障判定を行なう方法が考えられる。しかし、エンジン始動時に故障診断を行なうべくデリバリ燃圧を低下させるとエンジン停止を招く虞がある。
【０００６】
本発明は、上述した課題を解決すべくなされたものであり、その目的とするところは、
エンジン始動時において、エンジン停止を抑制しつつリリーフ弁及び燃圧センサの故障判定が可能な内燃機関の燃料噴射装置を提供することにある。
【課題を解決するための手段】
【０００７】
上記の目的を達成するべく、本発明の内燃機関の燃料噴射装置は、燃料タンクに貯留した燃料を加圧する高圧燃料供給装置と、前記高圧燃料供給装置により加圧された燃料を供給されて内燃機関の燃焼室に噴射する筒内燃料噴射弁と、前記内燃機関の吸気通路に燃料を噴射する吸気通路燃料噴射弁と、前記内燃機関の運転状態に基づいて、前記筒内燃料噴射弁及び前記吸気通路燃料噴射弁の少なくとも一方により前記内燃機関に燃料を供給させる燃料噴射制御部と、所定のリリーフ圧で開弁して前記高圧燃料供給装置から前記筒内燃料噴射弁に供給された燃料の圧力を抑制するリリーフ弁と、前記高圧燃料供給装置から前記筒内燃料噴射弁に供給された燃料の圧力を検出する圧力検出器と、前記内燃機関の始動の際の前記圧力検出器による圧力検出値に基づいて前記圧力検出器及び前記リリーフ弁の故障判定をする故障判定部と、を備えた内燃機関の燃料噴射装置であって、前記故障判定部は、前記内燃機関が始動指示された際の前記圧力検出値が前記リリーフ圧を超えている場合に、前記内燃機関の始動から所定期間経過するまで前記筒内燃料噴射弁による燃料の噴射を停止して前記吸気通路燃料噴射弁のみで前記内燃機関に燃料を供給し、前記所定期間経過後に前記筒内燃料噴射弁に供給された燃料の圧力を低下させる燃圧下降制御を実行して故障箇所を特定することを特徴とする。
【０００８】
また、好ましくは、前記故障判定部は、前記内燃機関が始動するまでのソーク状態に基づいて前記所定期間を変更するとよい。
また、好ましくは、前記ソーク状態は、前記内燃機関の始動前の停止開始時における前記内燃機関の冷却水温または潤滑油温と、前記内燃機関の停止開始から前記内燃機関の始動指示までの時間に基づいて設定されるとよい。
【０００９】
また、好ましくは、前記ソーク状態は、前記内燃機関の始動前の停止開始時における前記内燃機関の冷却水温または潤滑油温と、前記内燃機関の始動指示時における前記内燃機関の冷却水温または潤滑油温とに基づいて設定されるとよい。
また、好ましくは、前記故障判定部は、前記所定期間経過後に前記筒内燃料噴射弁による燃料噴射によって前記燃圧下降制御を実行して前記圧力検出値の変化度合に基づいて、前記リリーフ弁及び前記圧力検出器の何れが故障であるか特定するとよい。
【発明の効果】
【００１０】
本発明の内燃機関の燃料噴射装置によれば、内燃機関が始動指示された際に圧力検出値がリリーフ圧を超えている場合には、リリーフ弁または圧力検出器が故障であることを推定することができる。そして、内燃機関の始動から所定期間経過するまで筒内燃料噴射弁による燃料の噴射を停止して吸気通路燃料噴射弁のみで内燃機関に燃料を供給することで、燃料の圧力を確保することができ、燃圧下降制御を実行して故障箇所を特定する際に、燃料の圧力低下による内燃機関の停止を抑制することができる。
【図面の簡単な説明】
【００１１】
【図１】本発明の一実施形態の内燃機関の燃料噴射装置の概略構成図である。
【図２】本実施形態のエンジン始動時における故障判定要領を示すフローチャートである。
【発明を実施するための形態】
【００１２】
以下、本発明の実施形態について図面を参照しながら説明する。
図１は、本発明の一実施形態の内燃機関の燃料噴射装置の概略構成図である。
本発明の一実施形態に係る燃料噴射装置を備えたエンジン(内燃機関)は、例えば自動車の走行駆動用エンジンであり、４気筒のガソリンエンジンである。エンジンには、吸気通路に燃料を噴射する吸気通路燃料噴射弁１０（１０ａ〜１０ｄ）と、燃焼室内に燃料を噴射する筒内燃料噴射弁１１（１１ａ〜１１ｄ）と、が各気筒に１つずつ備えられている。
【００１３】
吸気通路燃料噴射弁１０は、内燃機関の吸気ポートに噴射口が配置されている。図１に示すように、吸気通路燃料噴射弁１０は、燃料タンク１２からフィードポンプ１３によって燃料が供給され、吸気ポート内に低圧の燃料を噴射する。フィードポンプ１３の吐出圧は、レギュレータ１４によって調圧される。なお、この吸気通路燃料噴射弁１０による燃料噴射を吸気通路燃料噴射（ＭＰＩ）という。
【００１４】
筒内燃料噴射弁１１は、エンジンの燃焼室に噴射口が配置されている。筒内燃料噴射弁１１は、高圧燃料供給装置２０から供給された高圧の燃料を燃焼室内に噴射する。高圧燃料供給装置２０は、フィードポンプ１３により燃料タンク１２から供給された低圧の燃料を加圧して筒内燃料噴射弁１１に供給する。なお、この筒内燃料噴射弁１１による燃料噴射を筒内燃料噴射(ＤＩ)という。
【００１５】
フィードポンプ１３と吸気通路燃料噴射弁１０との間の燃料供給路にはオリフィス２１ａ、２１ｂが設けられ、高圧燃料供給装置２０と筒内燃料噴射弁１１との間の燃料供給路にはオリフィス２２が設けられており、夫々燃料の流量を調整する。
また、高圧燃料供給装置２０から各筒内燃料噴射弁１１ａ〜１１ｄへの燃料供給路であるデリバリパイプ２３には、高圧燃料供給装置２０からの燃料の吐出圧であるデリバリ燃圧Ｐd（圧力検出値）を検出する燃圧センサ２４（圧力検出器）が設けられている。
【００１６】
高圧燃料供給装置２０は、フィルタ３０、パルセーションダンパ室３１、スピル弁３２、プランジャポンプ３３、吐出弁３４、リリーフ弁３５、を備えて構成されている。
プランジャポンプ３３は、筒状のシリンダ３６内をプランジャ３７が往復動可能に設けられている。プランジャ３７は、図示しないエンジンのドライブシャフトに設けられたカムによって移動される。ドライブシャフトは、例えばエンジンの排気カムシャフトに連結しており、よって、エンジンの駆動によりプランジャ３７がシリンダ３６内を往復動し、シリンダ３６内の加圧室３８の容積を増減させる。
【００１７】
高圧燃料供給装置２０には、フィードポンプ１３から加圧室３８に燃料を供給する供給路３９と、加圧室３８から燃料を吐出する吐出路４０が設けられている。
供給路３９には、上流側から順番に、フィルタ３０、パルセーションダンパ室３１、スピル弁３２が配置されている。
フィルタ３０は、フィードポンプ１３により燃料タンク１２から供給された燃料を濾過する機能を有する。パルセーションダンパ室３１は、供給路３９の燃料の圧力変動を抑制する機能を有する。
【００１８】
スピル弁３２は、スプリング４１により開弁するように付勢されるとともに、ソレノイド４２に通電させることで閉弁するように構成されている。ソレノイド４２は、コントロールユニット５０（燃料噴射制御部）からスピル弁駆動信号として電力を供給されることで、スピル弁３２を閉作動させる。
吐出路４０には、吐出弁３４が配置されている。吐出弁３４は、スプリングによって閉弁するように付勢されており、前後の差圧が所定値以上、即ち加圧室３８内の圧力が筒内燃料噴射弁１１への設定供給圧力以上に上昇した場合に開弁するように設定されている。
【００１９】
また、リリーフ弁３５は吐出弁３４と並列に配置されている。リリーフ弁３５は、吐出弁３４の下流側の圧力がリリーフ圧Ｐr以上で開弁するように設定されている。
高圧燃料供給装置２０は、プランジャ３７の下方への移動時、即ち加圧室３８の容積の拡大時には、スピル弁３２が開弁し、供給路３９から燃料が加圧室３８内に供給される。プランジャ３７の上方への移動時、即ち加圧室３８の容積の縮小時には、ソレノイド４２にスピル弁駆動信号を一時的に供給してスピル弁３２を閉作動させることで、その後のプランジャ３７の上方への移動時にスピル弁３２の閉弁状態が維持されて、加圧室３８内の燃料が加圧される。
【００２０】
したがって、高圧燃料供給装置２０では、プランジャ３７の下死点から上方への移動開始時毎にスピル弁３２を閉作動させるスピル弁駆動信号をソレノイド４２に入力することで、プランジャ３７の上下動に応じてスピル弁３２が開閉作動を繰り返し、燃料を繰り返して加圧し、高圧の燃料を吐出することが可能となっている。
なお、本実施形態の高圧燃料供給装置２０では、シリンダ３６内におけるプランジャ３７に対して加圧室３８とは反対側の副室に、パルセーションダンパ室３１から燃料を供給して貯留しておくように構成されている。
【００２１】
コントロールユニット５０は、入出力装置、記憶装置（ＲＯＭ、ＲＡＭ、不揮発性ＲＡＭ等）及び中央演算処理装置（ＣＰＵ）等を含んで構成されている。コントロールユニット５０は、アクセル操作やエンジン回転速度等に基づいて、吸気通路燃料噴射弁１０及び筒内燃料噴射弁１１を制御して、燃料噴射量の制御を行なうとともに、図示しない点火プラグ等の作動制御を行なって、エンジンの運転制御を行なう。
【００２２】
また、コントロールユニット５０は、エンジンの回転速度及び負荷に基づいて、燃料噴射モードを判定する。燃料噴射モードは、燃料噴射モードマップを用いて判定される。例えば、低負荷低回転時にはＭＰＩモード、中、高負荷運転時にはＤＩ＋ＭＰＩモードに判定される。なお、ＭＰＩモードは、筒内燃料噴射弁１１による燃料噴射を行なわず、吸気通路燃料噴射弁１０のみで燃料噴射を行なうモードであり、ＤＩ＋ＭＰＩモードでは、筒内燃料噴射弁１１及び吸気通路燃料噴射弁１０の両方から燃料を噴射する。
【００２３】
また、コントロールユニット５０は、燃圧センサ２４からデリバリ燃圧Ｐdを入力し、エンジンの運転時にデリバリ燃圧Ｐdが所定の目標燃圧Ｐdtになるように、高圧燃料供給装置２０をフィードバック制御する機能を有している。目標燃圧Ｐdtは、エンジン運転時に燃料噴射モードに基づいて設定される基本目標燃圧Ｐdtaに設定される。また、コントロールユニット５０は、デリバリ燃圧Ｐdが目標燃圧Ｐdtより高い場合には、筒内燃料噴射弁１１から燃料を噴射してデリバリ燃圧Ｐdを目標燃圧Ｐdtに低減させる機能も有している。
【００２４】
更に、本実施形態のコントロールユニット５０は、高圧燃料供給装置２０の故障診断、詳しくは燃圧センサ２４及びリリーフ弁３５の故障を検出するとともに、いずれが故障しているかを特定する故障判定部５１を備えている。以下に、図２を用いて、エンジン始動時における故障判定部５１による燃圧センサ２４及びリリーフ弁３５の故障診断について説明する。
【００２５】
図２は、故障判定部５１においてエンジン始動時に実行する高圧燃料供給装置２０の故障診断制御手順を示すフローチャートである。
図２に示す故障診断制御は、ステップＳ１０としてエンジン始動指示（例えばキースイッチオン）されたときに開始する。そして、ステップＳ２０に進む。
ステップＳ２０では、燃圧センサ２４により検出したデリバリ燃圧Ｐdを入力し、当該デリバリ燃圧Ｐdがリリーフ弁３５のリリーフ圧Ｐrに適宜設定された所定値αを加算した値より大きいか否かを判別する。デリバリ燃圧Ｐdがリリーフ圧Ｐrに所定値αを加算した値より大きい場合（Ｐd＞Ｐr＋α）は、ステップＳ３０に進む。デリバリ燃圧Ｐdがリリーフ圧Ｐrに所定値αを加算した値以下の場合（Ｐd≦Ｐr＋α）は、本ルーチンを終了する。
【００２６】
ステップＳ３０では、高圧燃料供給装置２０が故障である、詳しくは燃圧センサ２４及びリリーフ弁３５のいずれかが故障である高圧故障判定が成立する。そして、ステップＳ４０に進む。
ステップＳ４０では、エンジンを始動する。なお、このときの燃料噴射モードはＭＰＩモードである。そして、ステップＳ５０に進む。
【００２７】
ステップＳ５０では、エンジン始動後所定期間ｔaの間、筒内燃料噴射弁１１による燃料噴射を禁止してＭＰＩモードとし、高圧燃料供給装置２０をオープンループ制御してデリバリ燃圧Ｐdを所定量増加させる。そして、ステップＳ６０に進む。
ステップＳ６０では、燃圧下降制御実行条件成立中であるか否かを判別する。燃圧下降制御実行条件成立中である場合には、ステップＳ７０に進む。燃圧下降制御実行条件成立中でない場合には、ステップＳ６０を繰り返す。燃圧下降制御実行条件は、例えば車両電源ＯＮであること、エンストモードまたは始動モードでないこと、筒内燃料噴射弁１１が断線故障ではないこと、高圧燃料供給装置２０のソレノイド４２が天絡、地絡、断線故障ではないこと、燃圧センサ２４が天絡、地絡、断線故障ではないこと等の条件である。
【００２８】
ステップＳ７０では、燃圧下降制御を実行する。そして、ステップＳ８０に進む。燃圧下降制御は、筒内燃料噴射弁１１による燃料噴射をすることで、デリバリ燃圧Ｐdを低下させる制御である。なお、この燃圧下降制御を開始するに伴って燃圧センサ固着判定タイマを初期値Ｘdに設定する。燃圧センサ固着判定タイマは、燃圧下降制御を実行している期間（時間あるいは点火回数）を計測するタイマであり、その初期値は例えば１００回点火回数に相当する時間程度に設定すればよい。
【００２９】
ステップＳ８０では、燃圧下降制御実行中であるか否かを判別する。燃圧下降制御実行中である場合には、ステップＳ９０に進む。燃圧下降制御実行中でない場合には、ステップＳ６０に戻る。なお、燃圧下降制御はエンジン停止に伴って実行を停止する。
ステップＳ９０では、燃圧センサ固着判定タイマを、燃圧下降制御の経過時間分減算する。そして、ステップＳ１００に進む。
【００３０】
ステップＳ１００では、燃圧センサ２４によりデリバリ燃圧Ｐdを検出し、燃圧下降制御開始後のデリバリ燃圧Ｐdの変化量ΔＰdが判定値Ｐ1以上であるか否かを判別する。変化量ΔＰdが判定値Ｐ1以上である場合には、ステップＳ１３０に進む。変化量ΔＰdが判定値Ｐ1未満である場合には、ステップＳ１１０に進む。なお、判定値Ｐ1は、燃圧センサ２４及びリリーフ弁３５が正常である状態で燃圧下降制御を実施した際の、燃圧センサ固着判定タイマが初期値から０になるまでのデリバリ燃圧Ｐdの変化量の下限値に設定すればよい。
【００３１】
ステップＳ１１０では、燃圧センサ固着判定タイマが０以下になったか否かを判別する。燃圧センサ固着判定タイマが０以下になった場合には、ステップＳ１２０に進む。燃圧センサ固着判定タイマが０より大きい場合には、ステップＳ６０に戻る。
ステップＳ１２０では、燃圧センサ２４が固着した故障状態であると判定し、リリーフ弁３５は閉固着していない正常状態であると判定する。そして、本ルーチンを終了する。
【００３２】
ステップＳ１３０では、燃圧センサ２４が固着していない正常状態であると判定し、リリーフ弁３５は閉固着している故障状態であると判定する。そして、本ルーチンを終了する。
更に、本実施形態では、上記ステップＳ５０においてエンジン始動後所定期間ｔaの間、筒内燃料噴射弁１１による燃料噴射を禁止して高圧燃料供給装置２０をオープンループ制御する際に、この所定期間ｔaあるいはオープンループ制御の制御量Ｐa（高圧燃料供給装置２０による単位時間あたりの吐出量）を、エンジン始動するまでの車両のソーク状態に基づいて変化させる。例えば、所定期間ｔaを固定した上で、機関温度が高く燃圧が上昇し易い状態である場合には、制御量Ｐaを小さくする。あるいは、制御量Ｐaを固定した上で、機関温度が高く燃圧が上昇し易い状態である場合には、所定期間ｔaを短くする。この燃圧が上昇し易い車両のソーク状態については、エンジン停止（キースイッチオフ）時のエンジン水温（冷却水温）または油温（潤滑油温）を検出して記憶しておき、当該エンジン停止時の水温または油温とエンジン停止からエンジン始動指示（キースイッチオン）までの時間とに基づいて設定したり、エンジン停止時のエンジン水温または油温とエンジン始動指示時のエンジン水温または油温とにより推定したりすればよい。エンジン停止時のエンジン水温または油温とエンジン停止からエンジン始動指示までの時間とに基づいて設定する場合には、エンジン停止時のエンジン水温または油温が高くなるに伴って、またエンジン停止からエンジン始動指示までの時間が短くなるに伴って、機関温度が高く燃圧が上昇し易い状態であり、制御量Ｐaを小さくあるいは所定期間ｔaを短くする。エンジン停止時のエンジン水温または油温とエンジン始動指示時のエンジン水温または油温とに基づいて設定する場合には、エンジン始動指示時のエンジン水温または油温が高い程、またエンジン始動指示時のエンジン水温または油温とエンジン停止時のエンジン水温または油温との差が小さいほど燃圧が上昇し易い状態であり、制御量Ｐaを小さくあるいは所定期間ｔaを短くすればよい。
【００３３】
以上のように、本実施形態では、エンジン始動前にデリバリ燃圧Ｐdを検出し、デリバリ燃圧Ｐdがリリーフ弁３５のリリーフ圧Ｐrに所定値αを加算した値（Ｐr＋α）よりも高い場合には、燃圧センサ２４またはリリーフ弁３５が故障であると判定する。
そして、エンジン始動後に筒内燃料噴射弁１１による燃料噴射を所定期間ｔａ禁止した後に燃圧下降制御を実行し、所定期間（所定時間または所定点火回数）経過するまでに燃圧センサ２４の検出値であるデリバリ燃圧Ｐdが判定値Ｐ1以上低下するか否かによって、燃圧センサ２４及びリリーフ弁３５のいずれが故障であるか特定できる。
【００３４】
本実施形態では、エンジン始動後に筒内燃料噴射弁１１による燃料噴射を所定期間ｔａ禁止しプランジャポンプ３３のオープンンループ制御をした後に燃圧下降制御を実行するので、例え燃圧センサ２４が故障していて実際のデリバリ燃圧Ｐdが低下していたとしても、燃圧下降制御を開始する前にデリバリ燃圧Ｐdを上昇させることができる。したがって、燃圧下降制御をする際に、デリバリ燃圧Ｐdの低下によるエンジン停止を防止することができる。
【００３５】
更に、この筒内燃料噴射弁１１による燃料噴射を所定期間tａ禁止する際の高圧燃料供給装置２０のオープンンループ制御については、機関温度が上昇していて燃圧が上昇し易い状態である場合に、制御量Ｐaを小さくあるいは所定期間ｔaを短くすることで、デリバリ燃圧Ｐdの過度な上昇を抑制することができる。制御量Ｐaを小さくすると、デリバリ燃圧Ｐdの急激な上昇を抑えて、リリーフ弁３５等のプランジャポンプ３３の下流側の各種機器の保護を図ることができ、所定期間ｔaを短くすると、燃圧下降制御を速やかに実行開始して、エンジン始動から故障診断終了までの時間を短縮することができる。
【００３６】
また、エンジン始動指示時のエンジン水温または油温が所定値以上である場合には、所定期間ｔaあるいは制御量Ｐaを０としてもよい。これにより、エンジン始動後におけるオープンループ制御によるデリバリ燃圧Ｐdの不要な上昇を抑えることができる。また、エンジン停止からエンジン始動指示までの時間が所定時間経過した場合には、実際のデリバリ燃圧は大気圧付近まで低下しているので、所定期間ｔaあるいは制御量Ｐaを０とせずに、上記のように制御量Ｐa及び所定期間ｔaを０以上の適宜な値に設定すればよい。これにより、燃圧下降制御を実行して故障診断を可能にすることができる。
【００３７】
本願発明は、筒内燃料噴射弁に高圧の燃料を供給する高圧燃料供給装置を備え、筒内燃料噴射弁に供給する燃料の圧力を検出して高圧燃料供給装置を制御する内燃機関において、広く適用することができる。
【符号の説明】
【００３８】
１  エンジン
１１  筒内燃料噴射弁
２０  高圧燃料供給装置
２４  燃圧センサ
５０  コントロールユニット(燃料噴射制御部)
５１  故障判定部
【図１】
2018123791.tif 000003
【図２】
2018123791.tif 000004